(57)【要約】【課題】  矩形以外の形状であり、且つ、安価な有機ＥＬパネル及びその有機ＥＬパネルを用いた表示装置を提供する。【解決手段】  有機ＥＬパネル１２は、第一電極３７と、有機層３９と、第二電極４０とを有する積層体３３を基板３２に形成し、積層体３３を封止部材３４で覆ったものである。基板３２の輪郭は円形であり、封止部材３４の輪郭は矩形である。基板３２は、積層体３３が形成され表示に供する第一の領域３２ａと、封止部材３４から突出し表示に供しない第二の領域３２ｂとを有する。基板３２の前側に円偏光部材４１を設ける。第二電極が形成された領域よりも小さい窓部３５ａを有する遮光部材３５を設ける。【選択図】  図４
2005276521.tif 000002
【特許請求の範囲】
【請求項１】
第一電極と有機層と第二電極とを有する積層体を基板に形成し、前記積層体を封止部材で覆った有機ＥＬパネルであって、
前記基板は、前記積層体が形成され表示に供する第一の領域と、前記封止部材から突出し表示に供しない第二の領域とを有し、前記第二の領域の輪郭は曲線を含むことを特徴とする有機ＥＬパネル。
【請求項２】
第一電極と有機層と第二電極とを有する積層体を基板に形成し、前記積層体を封止部材で覆った有機ＥＬパネルであって、
前記基板の輪郭は曲線を含み、前記封止部材の輪郭は直線を含むことを特徴とする有機ＥＬパネル。
【請求項３】
第一電極と有機層と第二電極とを有する積層体を基板に形成し、前記積層体を封止部材で覆った有機ＥＬパネルであって、
前記基板の輪郭は円形であり、前記封止部材の輪郭は矩形であることを特徴とする有機ＥＬパネル。
【請求項４】
前記基板の前側に円偏光部材を設けたことを特徴とする請求項１，請求項２または請求項３に記載の有機ＥＬパネル。
【請求項５】
前記第二電極が形成された領域よりも小さい窓部を有する遮光部材を設けたことを特徴とする請求項４に記載の有機ＥＬパネル。
【請求項６】
前記遮光部材は、前記基板に形成された遮光層であることを特徴とする請求項５に記載の有機ＥＬパネル。
【請求項７】
指標部を有する表示板と、前記指標部を指示する指針と、前記指針を回動させる指針駆動手段と、第一電極と有機層と第二電極とを有する積層体を基板に形成し、前記積層体を封止部材で覆った有機ＥＬパネルと、を有する表示装置であって、
前記有機ＥＬパネルは、前記指針駆動手段の前側に配置され、前記基板は、前記積層体が形成され表示に供する第一の領域と、前記封止部材から突出し表示に供しない第二の領域とを有し、前記第二の領域の輪郭は曲線を含むことを特徴とする表示装置。
【請求項８】
指標部を有する表示板と、前記指標部を指示する指針と、前記指針を回動させる指針駆動手段と、第一電極と有機層と第二電極とを有する積層体を基板に形成し、前記積層体を封止部材で覆った有機ＥＬパネルと、を有する表示装置であって、
前記有機ＥＬパネルは、前記指針駆動手段の前側に配置され、前記基板の輪郭は曲線を含み、前記封止部材の輪郭は直線のみからなることを特徴とする表示装置。
【請求項９】
指標部を有する表示板と、前記指標部を指示する指針と、前記指針を回動させる指針駆動手段と、第一電極と有機層と第二電極とを有する積層体を基板に形成し、前記積層体を封止部材で覆った有機ＥＬパネルと、を有する表示装置であって、
前記有機ＥＬパネルは、前記指針駆動手段の前側に配置され、前記基板の輪郭は円形であり、前記封止部材の輪郭は矩形であることを特徴とする表示装置。
【発明の詳細な説明】
【技術分野】
【０００１】
本発明は、第一電極及び第二電極で有機層を挟持した積層体を基板に形成し、前記積層体を封止部材で覆ってなる有機ＥＬパネル、及び、その有機ＥＬパネルと指針式計器とを用いた表示装置に関するものである。
【背景技術】
【０００２】
従来より、有機ＥＬパネルが種々提案されており、例えば特許文献１及び特許文献２に開示されている。有機ＥＬパネル１は、ガラス基板２に積層体３を形成したものであり、この積層体３は、第一電極４，絶縁層５，有機層６，第二電極７を有する（図８参照）。有機層６は正孔注入層，正孔輸送層，発光層及び電子輸送層からなるものであり、第一電極４と第二電極７とによって挟持されている。積層体３は封止ガラス８に覆われており、この封止ガラス８はガラス基板２に接着剤９により接着されている。
【０００３】
カラス基板２には、陽極部４と同じ材料からなる陽極端子部４ａ及び陰極端子部４ｂが形成されている。陽極端子部４ａは陽極部４に連設されており、陰極端子部４ｂは第二電極７と電気的に導通されている。有機ＥＬパネル１は、陽極端子部４ａと陰極端子部４ｂに電源を接続することにより発光部Ｐが光輝する。有機ＥＬパネル１は、非自発光型の表示素子であるＬＣＤに代わる自発光型のＦＰＤ（Flat Panel Display）として注目されている。
【特許文献１】特開２００１−２６７０６６号公報
【特許文献２】特開平９−１２７８８５号公報
【発明の開示】
【発明が解決しようとする課題】
【０００４】
しかしながら、有機ＥＬパネル１は正面視で矩形であって、輪郭が曲線を含む形状（例えば円形状）の有機ＥＬパネル１は皆無であった。しかし、近年、斬新な外観を有する表示装置に用いる表示素子として、矩形以外の形状である有機ＥＬパネル１が求められている。
本発明の第一の課題は、矩形以外の形状である斬新な外観の有機ＥＬパネル及びその有機ＥＬパネルを用いた表示装置を提供することである。
また、仮に、円形状の有機ＥＬパネル１を得ようとすると、ガラス基板２を円形状に形成するだけでなく、封止ガラス８も円形に形成することを要するため、有機ＥＬパネル１が高価になると考えられている。
本発明の第二の課題は、矩形以外の形状であり、且つ、安価な有機ＥＬパネル及びその有機ＥＬパネルを用いた表示装置を提供することである。
【課題を解決するための手段】
【０００５】
本発明は、前記課題を解決するため、請求項１に記載したように、第一電極と有機層と第二電極とを有する積層体を基板に形成し、前記積層体を封止部材で覆った有機ＥＬパネルであって、前記基板は、前記積層体が形成され表示に供する第一の領域と、前記封止部材から突出し表示に供しない第二の領域とを有し、前記第二の領域の輪郭は曲線を含むものである。
【０００６】
また、本発明は、請求項２に記載したように、第一電極と有機層と第二電極とを有する積層体を基板に形成し、前記積層体を封止部材で覆った有機ＥＬパネルであって、前記基板の輪郭は曲線を含み、前記封止部材の輪郭は直線を含むものである。
【０００７】
また、本発明は、請求項３に記載したように、第一電極と有機層と第二電極とを有する積層体を基板に形成し、前記積層体を封止部材で覆った有機ＥＬパネルであって、前記基板の輪郭は円形であり、前記封止部材の輪郭は矩形であるものである。
【０００８】
また、本発明は、請求項４に記載したように、前記基板の前側に円偏光部材を設けたものである。
【０００９】
また、本発明は、請求項５に記載したように、前記第二電極が形成された領域よりも小さい窓部を有する遮光部材を設けたものである。
【００１０】
また、本発明は、請求項６に記載したように、前記遮光部材は、前記基板に形成された遮光層であるものである。
【００１１】
また、本発明は、請求項７に記載したように、指標部を有する表示板と、前記指標部を指示する指針と、前記指針を回動させる指針駆動手段と、第一電極と有機層と第二電極とを有する積層体を基板に形成し、前記積層体を封止部材で覆った有機ＥＬパネルと、を有する表示装置であって、前記有機ＥＬパネルは、前記指針駆動手段の前側に配置され、前記基板は、前記積層体が形成され表示に供する第一の領域と、前記封止部材から突出し表示に供しない第二の領域とを有し、前記第二の領域の輪郭は曲線を含むものである。
【００１２】
また、本発明は、請求項８に記載したように、指標部を有する表示板と、前記指標部を指示する指針と、前記指針を回動させる指針駆動手段と、第一電極と有機層と第二電極とを有する積層体を基板に形成し、前記積層体を封止部材で覆った有機ＥＬパネルと、を有する表示装置であって、前記有機ＥＬパネルは、前記指針駆動手段の前側に配置され、前記基板の輪郭は曲線を含み、前記封止部材の輪郭は直線のみからなるものである。
【００１３】
また、本発明は、請求項９に記載したように、指標部を有する表示板と、前記指標部を指示する指針と、前記指針を回動させる指針駆動手段と、第一電極と有機層と第二電極とを有する積層体を基板に形成し、前記積層体を封止部材で覆った有機ＥＬパネルと、を有する表示装置であって、前記有機ＥＬパネルは、前記指針駆動手段の前側に配置され、前記基板の輪郭は円形であり、前記封止部材の輪郭は矩形であるものである。
【発明の効果】
【００１４】
有機ＥＬパネルが正面視で円形状等の矩形以外の形状であるため、斬新な外観になり、且つ、封止部材は矩形等の形状でも良いため高価になる虞がない。
【発明を実施するための最良の形態】
【００１５】
以下、添付の図面に基づいて、本発明を車両用表示装置に応用した一実施形態を説明する。図１乃至図５は第一実施形態を示す図である。
車両用表示装置１１は、ナビゲーション情報等を表示する有機ＥＬパネル１２と、３個の指針式計器（速度計１３，燃料計１４，水温計１５）と、をハウジング１６に収納してなるものである。速度計１３は、燃料計１５と水温計１６の中間に配置されている。
【００１６】
速度計１３は、表示板１７，指針１８，ステッピングモータ１９（指針駆動手段），回路基板２０を有している。表示板１７は、円弧状に配置された複数の指標部１７を有している。指針１８はステッピングモータ１９により回動され、表示板１７の指標部１７ａを指示する。回路基板２０にはステッピングモータ１９の回動軸１９ａが貫通する孔部２０ａが形成されており、回路基板２０の後面側にステッピングモータ１９が搭載されている。有機ＥＬパネル１２は、速度計１３の前側に配置されている。
【００１７】
燃料計１４及び水温計１５は、表示板２４，２５及び指針２６，２７を夫々有している。表示板２４，２５は、透光性樹脂（例えばポリカーボネート）からなる基板に指標部２４ａ，２５ａを印刷形成したものである。指針２６，２７はステッピングモータ（図示しない）により回動され、表示板２４，２５の指標部２４ａ，２５ａを指示する。
【００１８】
次に、図３乃至図５に基づいて、有機ＥＬパネルについて詳述する。有機ＥＬパネル１２は、遮光層３５及び平坦化層３６を介して、ガラス基板３２に積層体３３を形成し、この積層体３３を覆うように封止ガラス３４を接合したものである。
【００１９】
積層体３３は、第一電極３７，絶縁層３８，有機層３９，第二電極４０を有している。第一電極３７は、酸化インジウム（In２O３）と酸化スズ（SnO２）の混合物であるＩＴＯ（Indium
Tin Oxide）からなるものであり、スパッタリング或いは蒸着等の手段によって形成されている。絶縁層３８は、ポリイミド系の絶縁材料からなるものであり、フォトリソグラフィー法等の手段によって形成されている。
【００２０】
有機層３９は、正孔注入層３９ａ，正孔輸送層３９ｂ，発光層３９ｃ及び電子輸送層３９ｄからなるものである（図５参照）。なお、有機層３９は、少なくとも発光層３９ｃがあれば良いが、本実施形態のように正孔注入層３９ａ，正孔輸送層３９ｂ及び電子輸送層３９ｄを設けることにより、発光輝度を向上させることができる。第二電極４０は、アルミニウム（Al）からなるものである。
【００２１】
ガラス基板３２は、正面視で円形状となっており、積層体３３が形成される正方形状の表示領域３２ａ（第一の領域）と、表示領域３２ａの周辺に位置する略三日月形状の４個の非表示領域３２ｂ（第二の領域）とを有している。封止ガラス３４は、ガラス基板３２よりも小さい正方形状になっており、紫外線硬化型接着剤によってガラス基板３２に接合されている。
【００２２】
遮光層３５は、黒色の印刷層からなるものであり、表示領域３２ａに対応する窓部３５ａを有し、ガラス基板３２の後面に形成されている。平坦化層３６は、積層体３３が形成される面を平坦にするものである。ガラス基板３２の前面には、円偏光板４１が貼着されている。円偏光板４１は、複屈折板４２と偏光板４３とからなるものである。複屈折板４２は、１／４波長板とも称されるものである。
【００２３】
本実施例によれば、有機ＥＬパネル１２が正面視で円形状であるため、車両用表示装置が斬新なデザインになる。且つ、有機ＥＬパネル１２の封止ガラス３４は矩形でも良いため、有機ＥＬパネル１２は比較的安価になる。
【００２４】
また、有機ＥＬパネル１２の前面に円偏光板４１を設けたことによって、有機ＥＬパネル１２の表示コントラスト比が良好になる。なお、有機ＥＬパネル１２に入射する外光は、第二電極４０では反射するが、非表示領域３２ｂでは外光が反射されなく、見栄えが異なる虞があるため、遮光層３５を形成することが望ましい。
【００２５】
なお、本発明は、第一実施例に限定されるものではなく、例えば、図６に示す第二実施形態のように、遮光層４５を円偏光板４１の前面に形成しても良い。また、ガラス基板３２の形状は円形に限定されるものではなく、例えば、図７に示す第三実施形態のように、円弧状の外形線３２ｃと、長方形の輪郭線３２ｄとを有する形状であっても良い。
【図面の簡単な説明】
【００２６】
【図１】本発明の第一実施形態を示す車両用表示装置の正面図。
【図２】同上実施形態を示す要部断面図。
【図３】同上実施形態を示す有機ＥＬパネルの正面図。
【図４】同上実施形態を示す有機ＥＬパネルの断面図。
【図５】同上実施形態を示す有機層の拡大断面図。
【図６】本発明の第二実施形態を示す有機ＥＬパネルの断面図。
【図７】本発明の第三実施形態を示す有機ＥＬパネルの正面図。
【図８】従来例を示す有機ＥＬパネルの断面図。
【符号の説明】
【００２７】
１２    有機ＥＬパネル
３２    ガラス基板（基板）
３２ａ  表示領域（第一の領域）
３２ｂ  非表示領域（第二の領域）
３３    積層体
３４    封止ガラス（封止部材）
３５ａ  窓部
３５    遮光層（遮光部材）
３７    第一電極
３９    有機層
４０    第二電極
４１    円偏光板（円偏光部材）
【図１】
2005276521.tif 000003
【図２】
2005276521.tif 000004
【図３】
2005276521.tif 000005
【図４】
2005276521.tif 000006
【図５】
2005276521.tif 000007
【図６】
2005276521.tif 000008
【図７】
2005276521.tif 000009
【図８】
2005276521.tif 000010